(57)【要約】【課題】コンパクトなアース構造を備えた弾球遊技機を提供する。【解決手段】パチンコ機には下扉が備えられている。下扉には球通路が備えられ、球通路の底部には金属板が設けられている。金属板はリード線９２を介して導電部材４５に接続されている。導電部材４５にはリード線９２が接続される接続部、発射操作装置１４が固定去れる固定部４５ｂ、当接部４５ｃが設けられている。当接部４５ｃには板バネ５０が取り付けられ、この板バネ５０を介して当接部５０は突出部材８０に当接する。施錠装置７０には下扉を係止するための係止フック７３が設けられ、係止フック７３によって下扉はロックされる。突出部材８０が取り付けられたフレーム７１はアースされており、球通路からの静電気はフレーム７１を介して外部に放出される。【選択図】        図５
2007068900.tif 000002
【特許請求の範囲】
【請求項１】
遊技機本体の前面下部に開閉自在に取り付けられた下部開閉体を有し、この下部開閉体に、遊技球を貯留する受け皿とこの受け皿から遊技球を発射する発射装置側に向かう遊技球が通る球通路とを備え、前記下部開閉体をロックする施錠装置が前記遊技機本体の下部に設けられた弾球遊技機において、
前記下部開閉体に、前記球通路を構成する構成部材と電気的に接続された導電部材を設け、
前記施錠装置に、導電性を有し、アースされ、かつ前記下部開閉体が閉じられたときに前記導電部材が対向するとともに突き当たるアース部を設けたことを特徴とする弾球遊技機。
【請求項２】
遊技領域を視認させる窓部を備えた開閉自在な上部扉を遊技機本体の前面上部に有し、前記上部扉を閉鎖する第１施錠装置が前記遊技機本体の上部に設けられ、遊技機本体の前面下部に着脱自在に取り付けられる下部着脱体を有し、この下部着脱体に、遊技球を貯留する受け皿とこの受け皿から遊技球を発射する発射装置側に向かう遊技球が通る球通路とを備え、前記下部着脱体をロックする第２施錠装置が前記遊技機本体の下部に設けられた弾球遊技機において、
前記下部着脱体に、前記球通路を構成する構成部材と電気的に接続された導電部材を設け、
前記第１施錠装置に、導電性を有し、アースされ、かつ前記下部着脱体が取り付けられたときに前記導電部材が対向するとともに突き当たるアース部を設けたことを特徴とする弾球遊技機。
【請求項３】
前記導電部材と前記アース部とのうち少なくともどちらか一方に金属製のバネを設け、このバネを介して前記導電部材と前記アース部とを弾発的に接触させたことを特徴とする請求項１または２記載の弾球遊技機。
【請求項４】
前記導電部材に、遊技球を発射するための発射操作装置が固定される固定部と、前記球通路からのリード線によって電気的に接続される接続部と、前記アース部に当接する当接部とを設けたことを特徴とする請求項１ないし３いずれか１つ記載の弾球遊技機。
【請求項５】
前記発射操作装置には接触を検知するための接触検知部が設けられており、
前記導電部材に、前記接触検知部からのリード線を接続させたことを特徴とする請求項４記載の弾球遊技機。
【発明の詳細な説明】
【技術分野】
【０００１】
本発明はパチンコ店等の遊技場に設置して使用される弾球遊技機に関するものである。
【背景技術】
【０００２】
現在、弾球遊技機では、遊技機本体の前面上部及び前面下部にそれぞれヒンジ部を介して開閉自在に取り付けられた上部開閉体及び下部開閉体を有するものや、前面下部に着脱自在に取り付けられた下部着脱体を有するものが製造されている。例えば、弾球遊技機としてパチンコ機では、上部開閉体である上扉と下部開閉体である下扉とからなる前面扉を備え、下扉にパチンコ玉を受ける受け皿やパチンコ玉を発射するための発射操作装置が設けられたものが既に製品化されている。遊技機本体には前面扉をロックする施錠装置が上部から下部にかけて設けられており、施錠装置に対して所定の操作が行われることにより前面扉は開放される。このようなパチンコ機では前面扉を開放することで遊技盤、パチンコ玉を払い出す払出装置、パチンコ玉を発射する発射装置などを容易にメンテナンスすることができるようになっている。
【０００３】
ところで、下扉には払出装置によって受け皿に払い出されるパチンコ玉が通る球通路が形成されているが、この球通路や受け皿ではパチンコ玉との摩擦により静電気が発生し、これによってパチンコ玉や球通路が帯電してしまうことがあった。この静電気のために遊技者が不快な刺激を受けたりパチンコ機に備えられた電子部品が損壊してしまうことを防止するため、パチンコ機には静電気を外部に逃がすためのアース構造が設けられている。球通路の構成部材をアースさせるためにこの構成部材と電気的に接続されたリード線からなるアース線を、ヒンジ部を経由させて遊技機本体のグランド端子に接続させ、このグランド端子から静電気を外部に放出していた。中には、アース線の両端部をビスなどで固定する作業を解消するため、特許文献１のように、筋状に形成された導電性部材の弾発力を利用して導電性部材の一端を受け皿に設けられた板金に接触させ、かつ他端を放電部に接続された板金に接触させて容易に受け皿の静電気を外部に放出できるようにしたパチンコ機もある。
【特許文献１】特開２０００―１７６１２７号公報
【発明の開示】
【発明が解決しようとする課題】
【０００４】
しかしながら、下扉に設けられた球通路等から静電気を取り除くために、ヒンジ部を経由させてアース線を遊技機本体まで配置すると、アース線のためにメンテナンス作業の効率が低下してしまう場合があった。また、アース線が長くなるとその分パチンコ機のコストが上昇する。また、アース線を配置するスペースも確保しなければならず、このためにパチンコ機のスリム化が妨げられてしまうことがあった。また、着脱自在な下扉を備えたパチンコ機では下扉を着脱するごとにアース線の取付、及び取外し作業を行わなければならず、このためにメンテナンス作業に時間がかかってしまっていた。
【０００５】
本発明は上記の事情に鑑みてなされたものであり、その目的は、ヒンジ部を介さずに球通路の静電気を除電するコンパクトなアース構造を備えた弾球遊技機を提供することにある。
【課題を解決するための手段】
【０００６】
上記の目的を達成するために、本発明の弾球遊技機では、遊技機本体の前面下部に開閉自在に取り付けられた下部開閉体を有し、この下部開閉体に、遊技球を貯留する受け皿とこの受け皿から遊技球を発射する発射装置側に向かう遊技球が通る球通路とを備え、下部開閉体をロックする施錠装置が前記遊技機本体の下部に設けられた弾球遊技機において、下部開閉体に、球通路を構成する構成部材と電気的に接続された導電部材を設け、施錠装置に、導電性を有し、アースされ、かつ下部開閉体が閉じられたときに導電部材が対向するとともに突き当たるアース部を設けたことを特徴とする。
【０００７】
また、遊技領域を視認させる窓部を備えた開閉自在な上部扉を遊技機本体の前面上部に有し、前記上部扉を閉鎖する第１施錠装置が前記遊技機本体の上部に設けられ、遊技機本体の前面下部に着脱自在に取り付けられる下部着脱体を有し、この下部着脱体に、遊技球を貯留する受け皿とこの受け皿から遊技球を発射する発射装置側に向かう遊技球が通る球通路とを備え、前記下部着脱体をロックする第２施錠装置が前記遊技機本体の下部に設けられた弾球遊技機において、下部着脱体に、球通路を構成する構成部材と電気的に接続された導電部材を設ける。さらに、第１施錠装置に、導電性を有し、アースされ、かつ第２施錠装置によって下部着脱体が遊技機本体に取り付けられたときに導電部材が対向するとともに突き当たるアース部を設けたことを特徴とする。
【０００８】
また、導電部材と前記アース部とのうち少なくともどちらか一方に金属製のバネを設け、このバネを介して導電部材とアース部とを弾発的に接触させたことを特徴とする。
【０００９】
また、導電部材に、遊技球を発射するための発射操作装置が固定される固定部と、球通路からのリード線によって電気的に接続される接続部と、アース部に当接する当接部とを設けたことを特徴とする。
【００１０】
また、発射操作装置には接触を検知するための接触検知部が設けられており、導電部材に、前記接触検知部からのリード線を接続させたことを特徴とする。
【発明の効果】
【００１１】
本発明の弾球遊技機によれば、遊技機本体の前面下部に開閉自在に取り付けられた下部開閉体を有し、この下部開閉体に、遊技球を貯留する受け皿とこの受け皿から遊技球を発射する発射装置に向かう遊技球が通る球通路とを備え、下部開閉体をロックする施錠装置が前記遊技機本体の下部に設けられた弾球遊技機において、下部開閉体に、球通路を構成する構成部材と電気的に接続された導電部材を設け、施錠装置に、導電性を有し、アースされ、かつ下部開閉体が閉じられたときに導電部材が対向するとともに突き当たるアース部を設けたことにより、球通路を構成する構成部材と接続された導電部材をアース部に当接させて球通路の構成部材と施錠装置のアース部とを電気的に接続させることができ、球通路の静電気を除電するコンパクトなアース構造を備えた弾球遊技機を提供することができる。
【００１２】
また、遊技機本体の前面下部に着脱自在に取り付けられた下部着脱体を有し、この下部着脱体に、遊技球を貯留する受け皿とこの受け皿から遊技球を発射する発射装置側に向かう遊技球が通る球通路とを備え、下部着脱体をロックする施錠装置が遊技機本体の下部に設けられた弾球遊技機において、下部着脱体に、球通路を構成する構成部材と電気的に接続された導電部材を設け、施錠装置に、導電性を有し、アースされ、かつ下部着脱体が取り付けられたときに導電部材が対向するとともに突き当たるアース部を設けたことにより、球通路を構成する構成部材と接続された導電部材をアース部に当接させて球通路の構成部材と施錠装置のアース部とを電気的に接続させることができ、球通路の静電気を除電するコンパクトなアース構造を備えた弾球遊技機を提供することができる。
【００１３】
また、導電部材とアース部とのうち少なくともどちらか一方に金属製のバネを設け、このバネを介して導電部材とアース部とを弾発的に接触させたことにより、導電部材とアース部とが確実に接触し、これによって確実に球通路から静電気を除電することができる。
【００１４】
また、導電部材に、遊技球を発射するための発射操作装置が固定される固定部と、球通路からのリード線によって電気的に接続される接続部と、アース部に当接する当接部とを設けたことにより、導電部材に発射操作装置が固定され、球通路からの静電気が接続部を介して導電部材に伝わり、さらに当接部を介して施錠装置のアース部に伝わるため、発射操作装置の静電気を除電でき、かつ球通路の静電気を除電することができる。
【００１５】
また、発射操作装置には接触を検知するための接触検知部が設けられており、導電部材に、前記接触検知部からのリード線を接続させたことにより、接触検知部の静電気を、導電部材を介して施行装置のアース部に伝達することができ、これによって容易に接触検知部の静電気を除電することができる。
【発明を実施するための最良の形態】
【００１６】
本発明を実施した弾球遊技機であるパチンコ機の外観斜視図を図１に示す。パチンコ機２の前面には、上部扉である上扉４及び下部開閉体である下扉５からなる２枚の前面扉６が遊技機本体３に対して回動自在に設けられている。上扉４は一方の側端部に設けられたヒンジ部８を介して開閉自在に遊技機本体３に取り付けられ、下扉５は一方の側端部に設けられたヒンジ部８を介して開閉自在に遊技機本体３に取り付けられている。上扉４及び下扉５は閉じられた状態で後述する施錠装置によってロックされる。
【００１７】
遊技機本体３には、各種チャッカ、センター役物などの構造物が設けられた遊技盤１８、センター役物３０などの駆動を制御する制御回路などがユニット化された遊技盤ユニットが着脱自在に取り付けられており、これにより遊技盤ユニットは容易に交換できるようになっている。上扉４の中央には開口４ａが設けられ、この開口４ａにはガラス板７が組み付けられている。ガラス板７と遊技盤１８との間にはパチンコ玉が流下する遊技領域９が形成され、遊技者はガラス板７を通して遊技領域９を視認することができる。
【００１８】
下扉５には、受け皿１２、発射操作装置１４、球通路１５、払出口１６等が設けられている。受け皿１２には遊技を開始する際にパチンコ玉が流入する他、遊技領域９を流下するパチンコ玉が遊技盤１８に設けられた入賞口に入賞することに応じてパチンコ玉が払出口１６から払い出される。球通路１５は遊技機本体３に設けられた図示しない発射装置と受け皿１２との間に形成され、受け皿１２に貯留されたパチンコ玉を発射装置まで案内する。発射操作装置１４は、パチンコ玉を遊技領域９に打ち出す際に操作され、後述する回動部材の位置に応じてパチンコ玉の打ち出しの強さが変化する。
【００１９】
球通路１５の底部には、受け皿１２の底面と面一になるように金属板１７が配置されており、受け皿１２の表面から隠れた金属板１７の裏面にはリード線の一端が接続され、リード線の他端は後述する導電部材に接続されている。このため、パチンコ玉の電荷や、パチンコ玉と球通路１５との摩擦によって発生した静電気は、金属板１７及びリード線を介して導電部材側に伝えられる。
【００２０】
遊技盤１８上には、釘、スタートチャッカ２３、入賞チャッカ２４、アタッカ２６、センター役物３０等が設けられている。スタートチャッカ２３には、例えば電動チューリップと呼ばれる開閉式の可動装置が設けられ、これによってパチンコ玉が入賞しやすい状態と入賞しにくい状態とが切り替えられるようになっている。遊技領域９に打ち出されたパチンコ玉が入賞チャッカ２４やアタッカ２６等に入賞しない場合はアウト口３３によって回収される。
【００２１】
センター役物３０には、例えば４つの保留表示部及び表示画面３５が備えられており、保留表示部は、センター役物３０上に設けられた表示画面３５において図柄が変動表示されている間にスタートチャッカ２３に設けられた始動入賞口にパチンコ玉が入賞するごとに１つ点灯する。この入賞は、電子抽選を行って図柄を変動させる権利として持ち越され、この権利の持ち越しは上限が４つまでと予め定められている。この権利を消化した場合には保留表示部は１つずつ消灯する。
【００２２】
センター役物３０に備えられた表示画面３５は、例えば、横に３つの図柄を並べて表示して電子抽選の結果を告知する。始動入賞口にパチンコ玉が入賞したときに開始される電子抽選に応じて表示画面３５に図柄を変動表示した後に、所定の図柄を停止表示することで遊技者に対して抽選結果が告知される。図柄は、例えば１〜９までの数字であり、図柄が縦に流れる変動表示が行われた後、電子抽選に当選した場合には同じ数字が３つ順次停止表示される。また、表示画面３５に表示される図柄の表示態様には、当たりに対応した図柄が停止表示される前段階で、３つの図柄のうち２つが同じ図柄で停止表示され残る１つが変動表示される、いわゆるリーチ表示が設定されており、これによって遊技者に期待感を持たせている。
【００２３】
スタートチャッカ２３に設けられた始動入賞口（図示省略）にパチンコ玉が入賞すると予め決められた個数のパチンコ玉が払出口１６から払い出されて受け皿１２に流入する。また、始動入賞口にパチンコ玉が入賞すると電子抽選が開始され、乱数の抽出、抽出された乱数が当たりとなる乱数であるか否かの判定が行われ、判定の結果は表示画面３５に表示される。
【００２４】
入賞チャッカ２４には通常入賞口が設けられ、通常入賞口にパチンコ玉が入賞すると、所定の個数のパチンコ玉が球通路１５を介して受け皿１２に払い出されるようになっている。
【００２５】
アタッカ２６には大入賞口を開閉する可動扉が備えられ、表示画面３５によって当たりが告知されたときに可動扉が開放され、所定期間開放された場合や一定個数のパチンコ玉が入賞した場合に閉じる。大入賞口にパチンコ玉が入賞すると、これに応じて予め決められた個数のパチンコ玉が受け皿１２に払い出される。大入賞口の一時的な開放が一定回数繰り返されると、当たりの告知に伴うアタッカ２６の開放が終了するようになっている。
【００２６】
図２にパチンコ機２の分解斜視図を示す。遊技機本体３には、中枠３６、遊技盤ユニット、上扉４などからなる中枠ユニット３８が着脱自在に取り付けられている。中枠３６はマグネシウム合金などによって枠状に形成されており、枠内には遊技盤ユニットが保持されている。図示は省略するが、遊技盤ユニットは、遊技盤１８と遊技盤１８の裏側に取り付けられる裏セット部とを有し、裏セット部には遊技全般を制御する制御回路が備えられている。中枠３６の一方の側端には図示しないヒンジ部が設けられ、このヒンジ部を介して上扉４が回動自在に取り付けられている。
【００２７】
遊技機本体３には、遊技場に固定される外枠４０と、外枠の内側に嵌め込まれる内枠４１とが設けられている。内枠４１はプラスチックで形成されており、中枠ユニット３８を固定するための開口４１ａが形成され、この開口４１ａの周囲にはスピーカ４３などが配置されている。
【００２８】
内枠４１の他方の側端部には上扉４を開放するための専用のキーが差し込まれるキーシリンダ７５が配置され、キーシリンダ７５は後述する施錠装置に設けられている。内枠４１からは前方に向かって爪７６が突出しており、この爪７６が上扉４に掛かり、上扉４が閉じられた状態でロックされる。なお、図示は省略するが、内枠４１の下部にはパチンコ玉を発射する発射装置が配置されている。
【００２９】
図３に示すように、発射操作装置１４には軸部１４ｄ（図５参照）が設けられ、下扉５の前面にはこの軸部１４ｄを挿通させる開口（図示省略）が設けられており、この開口を介して発射操作装置１４は、下扉５内部に備えられかつ金属板が成形加工された導電部材４５にビスで固定される。発射操作装置１４は、アームレスト１４ａ、回動部材１４ｂとを備え、回動部材１４ｂの位置に応じた強さでパチンコ玉が発射される。回動部材１４ｂには遊技者の手の接触を検知する接触検知部が備えられ、遊技者の手の接触が検知されない場合には、パチンコ玉は発射されない。なお、回動部材１４ｂは、図示しない捩りバネによってパチンコ玉を遊技領域９に発射しない基準位置に付勢されており、回動部材１４ｂから手が離れた場合には、回動部材１４ｂは基準位置に戻され、パチンコ玉の発射は停止する。発射操作装置１４の回動部材１４ｂにはクロムメッキが施され、これによって手指の接触を検知するための検出電極が形成されている。この検出電極に手指が触れるとパチンコ機２内に備えられた検知回路によって手指の接触が検知されるようになっている。そして、手指の接触を検知しない待機状態のときの電流を一定にするために回動部材１４ｂはアースされている。
【００３０】
導電部材４５には、下扉５の裏面側においてビスで固定するためのビス孔４５ｅ、球通路１５からのリード線９２が接続される接続部４５ａ、発射操作装置１４が固定される固定部４５ｂ、施錠装置に突き当たる当接部４５ｃが形成されている。固定部４５ｂには発射操作装置１４を取り付けるためのビス孔４５ｄが予め形成されている。ビス孔４５ｅが下扉５に形成されたビス孔５ａに合わせられてビス止めされることで導電部材４５が下扉５に固定されると、当接部４５ｃは開口５ｂ上に位置する。
【００３１】
リード線９２の両端部には端子９０が取り付けられ、リード線９２の一方の端子９０は球通路１５に設けられた金属板１７にビス止めされ、他方の端子９０は接続部４５ａに接続される。当接部４５ｃには金属製の板バネ５０が設けられている。
【００３２】
板バネ５０は、当接部４５ｃとなる板片の側方から挟みこませるクリップ部５０ａとクリップ部５０ａの一方の側片から弾性自在に突き出た接触部５０ｂとから構成されている。クリップ部５０ａが当接部４５ｃに取り付けられた後に、ビスによってクリップ部５０ａが押さえられることで板バネ５０が当接部４５ｃに固定される。下扉５には、下扉５の裏側に通じる開口５ｂが形成され、この開口５ｂから接触部５０ｂが裏側に突き出るように板バネ５０は取り付けられる。
【００３３】
図４に内枠４１の他方の側端部に背面側から取り付けられる施錠装置７０を示す。施錠装置７０は縦に細長い形状をしており、アースされたフレーム７１（アース部）、キーシリンダ７５、上扉４に掛かる爪７６、前面側に突き出た突出部材８０などが設けられている。フレーム７１は、例えば、冷間圧延鋼板（ＳＰＣＣ）の表面にメッキ処理が施されたものによって構成されている。突出部材８０は、例えば快削黄銅棒からなり、下扉５に形成された開口５ｂに嵌入されるようにフレーム７１に取り付けられている。突出部材８０のさらに下方には、遊技機本体３に設けられたグランド端子に一端が接続されたリード線８２が接続され、このリード線８２を介してフレーム７１はアースされている。
【００３４】
フレーム７１の上部にはキーシリンダ７５が設けられ、キーシリンダ７５には専用のキーが差し込まれる。上扉が爪７６によって係止されているときに、キーシリンダ７５に差し込まれたキーが所定の角度回動されると爪７６と上扉４との係合が解除され、これによって上扉４の開放が可能となる。フレーム７１の下部には下扉５を閉じられた状態でロックする係止フック７３が設けられている。遊技場の管理者は図示しない操作レバーを操作することによりこの係止フック７３と下扉５との係合を解除させて、下扉５を開放させることができる。
【００３５】
下扉５が閉じられると突出部材８０は板バネ５０の接触部５０ｂに接触する。接触部５０ｂは弾発力を有しており、突出部材８０が当接したとき、接触部５０ｂは突出部材８０に向けて付勢され、これによって板バネ５０は突出部材８０と確実に接触することができる。板バネ５０が突出部材８０と接触することにより、導電部材４５はフレーム７１と電気的に接続され、球通路１５から導電部材４５に伝達された静電気がフレーム７１を介して外部に放出される。
【００３６】
図５を用いて本発明の作用を示す。下扉５の裏面には発射操作装置１４を固定する導電部材４５が取り付けられ、導電部材４５には一端が球通路１５の金属板１７に接続されたリード線９２の他端が接続されている。導電部材４５には板バネ５０が取り付けられており、板バネ５０には後方に突出した接触部５０ｂが形成されている。下扉５が閉じられると板バネ５０の接触部５０ｂが、フレーム７１に設けられた突出部材８０に当接し、導電部材４５とフレーム７１とが電気的に接続された状態となる。このとき、接触部５０ｂは突出部材８０に向けて付勢されて突出部材８０と確実に接触するようになっている。これによって球通路１５とパチンコ玉との摩擦によって発生した静電気は、金属板１７からリード線９２を介して導電部材４５に伝わり、さらに導電部材４５に取り付けられた板バネ５０及び板バネに接触した突出部材８０を介してアースされたフレーム７１に伝わり外部に放出される。
【００３７】
このように球通路１５で発生した静電気をアースされた施錠装置７０に伝達させることができ、球通路１５やパチンコ玉が帯電することを低減してパチンコ機２の故障を防止することができる。また、下扉５を閉じることによって下扉５で発生した静電気を外部に放出するアース構造を容易に形成することができるため、パチンコ機２のメンテナンスをより容易に実行することができる。また、アースされた施錠装置７０を介して静電気を外部に放出するため、アース構造を形成するための特別な部品を必要とすることがなく、部品点数を低減しつつアース構造を形成することが期待できる。
【００３８】
なお、上記の実施形態では、導電部材４５に球通路１５からのリード線９２を接続させたが、発射操作装置に設けられた回動部材やアームレストからのリード線を導電部材に接続させてもよい。発射操作装置のアームレストや回動部材にリード線の一端を接続させ、リード線の他端を導電部材に接続させる。これによりアームレストや回動部材で発生した静電気は施錠装置のフレームを介して外部に放出され、発射操作装置が帯電することを防止することができる。
【００３９】
また、上記の実施形態では、球通路１５からのリード線９２を導電部材４５に接続させたが、受け皿や球通路を、例えばカーボンファイバーなどの導電性に優れた材料で一体形成し、この受け皿及び球通路が一体成形されたカーボンファイバーに導電部材を取り付けてもよい。このような方法でも球通路で発生した静電気をアースされた施錠装置に伝達させることができ、リード線の両端をビス止めするなどの煩わしい作業を解消することができる。
【００４０】
また、上記の実施形態では開閉自在な上扉４と開閉自在な下部開閉体である下扉５とを設けたパチンコ機２を例示したが、受け皿及び球通路を備え、着脱自在に遊技機本体に取り付けられる下部着脱体を備えたパチンコ機に本発明を適用することもできる。図６に示すように、パチンコ機１００では、遊技機本体１０４の前面下部に着脱自在な下部着脱体１０２が設けられる。下部着脱体１０２には受け皿１０１、球通路１０３等が設けられ、さらに遊技機本体１０４に取り付けるための第２施錠装置が設けられている。第２施錠装置は、下部着脱体１０２に設けられた係合突起（図示省略）、係合爪１１０、及び遊技機本体１０４の設けられた嵌合穴１０６、係合穴１１２等から構成される。下部着脱体１０２の背面下部には係合突起が３つ横方向に配設され、遊技機本体１０４にはこの係合突起が嵌め込まれる嵌合穴１０６が３つ設けられている。下部着脱体１０２の背面上部には後方に突出した３つの係合爪１１０が設けられ、遊技機本体１０４にはこれらの係合爪１１０と係合する係合穴１１２が横方向に３つ設けられている。３つの係合突起がそれぞれ対応する嵌合穴１０６に嵌め込まれ、３つの係合爪１１０がそれぞれ対応する係合穴１１２に嵌め込まれることで、係合爪１１０が係合穴１１２に係合して下部着脱体１０２は遊技機本体１０４に取り付けられる。下部着脱体１０２の上部に設けられたレバー１１５が操作されることで係合爪１１０は係合穴１１２との係合が解除され、下部着脱体１０２は取外しが可能となる。下部着脱体１０２の背面には球通路１０３と電気的に接続された導電部材１１７が配置され、遊技機本体１０４には図示しない開閉自在な上部扉を閉鎖するための第１施錠装置が設けられている。第１施錠装置にはアースされたフレームが備えられ、フレームからは突出部材１２０が遊技機本体１０４の前面に露呈している。下部着脱体１０２が遊技機本体１０４に取り付けられると、下部着脱体１０２の導電部材１１７が第１施錠装置の突出部材１２０に当接し、これによって導電部材１１７とフレームとが導通する。また、下部着脱体１０２の導電部材１１７における突出部材１２０と当接する部分は、突出部材１２０と嵌合するように凹部１１７ａが形成されており、この突出部材１２０と導電部材１１７の凹部１１７ａとによって係合穴１１２に係合爪１１０を係止させる前に下部着脱体１０２を位置決めすることができる。このような構造にしたことで下部着脱体１０２に設けられた球通路１０３の静電気を安定的に外部に放出すると共に効率の良い組み付けが可能となる。
【図面の簡単な説明】
【００４１】
【図１】本発明のパチンコ機を前側から観察した外観斜視図である。
【図２】中枠ユニットを遊技機本体から取り外したパチンコ機の分解斜視図である。
【図３】下扉に取り付けられる発射操作装置の周辺部を概略的に説明する説明図である。
【図４】内枠に取り付けられる施錠装置の斜めから観察した斜視図である。
【図５】一端が球通路に接続されたリード線の他端が接続された導電部材に板バネが取り付けられ、この板バネと施錠装置との接触を説明する説明図である。
【図６】下部着脱体を備えたパチンコ機の分解斜視図である。
【符号の説明】
【００４２】
２  パチンコ機（弾球遊技機）
３  遊技機本体
４  上扉
５  下扉（下部開閉体）
６  前面扉
１２  受け皿
１４  発射操作装置
１５  球通路
３６  中枠
３８  中枠ユニット
４５  導電部材
４５ａ  接続部
４５ｂ  固定部
４５ｃ  当接部
５０  板バネ
５０ｂ  接触部
７０  施錠装置
７１  フレーム（アース部）
７３  係止フック
７５  キーシリンダ
７６  爪
８０  突出部材
９０  リード端子
９２  リード線
１０２  下部着脱体
【図１】
2007068900.tif 000003
【図２】
2007068900.tif 000004
【図３】
2007068900.tif 000005
【図４】
2007068900.tif 000006
【図５】
2007068900.tif 000007
【図６】
2007068900.tif 000008